(57)【要約】【課題】容易に光脱毛施術ができるようにする。【解決手段】角筒状形状の光照射治具の先端部によってクリスタル部と施術部位との間の距離を適正に保持することで適正な照射強度を維持すると共に、ジェルを介して脱毛施術対象でなる皮膚に先端部を押し付けたとき、余分なジェルを切欠から外部に押し出しかつはっきりとした押付け跡をジェル上に残すようにし、これにより１回ごとの光脱毛ユニットの位置決め操作を一段と容易になし得る。【選択図】図２
0003123817.tif 000002
【実用新案登録請求の範囲】
【請求項１】
光脱毛施術光を断面矩形形状のクリスタル部を通してジェルを塗った施術部位に照射する光脱毛ユニットにおいて、
角筒状形状を有し、前板部及び後板部並びに左板部及び右板部の本体部を上記クリスタル部に嵌め込むと共に、先端部を上記ジェルに押し付けることにより、上記クリスタル部と上記施術部位との間に適正な間隔を保持する構成を有し、
かつ上記前板部及び後板部並びに左板部及び右板部のうち短辺側の板部の上記先端部に、上記前板部及び後板部並びに左板部及び右板部の上記先端部で囲まれた空間の余分な上記ジェルを押し出す切欠を有する
ことを特徴とする光脱毛ユニット用光照射治具。
【請求項２】
上記本体部の厚さを、２．５〜３．０〔ｍｍ〕にしたことを特徴とする請求項１に記載の光脱毛ユニット用光照射治具。
【請求項３】
上記先端部の厚さを上記本体部の厚さより薄くすることを特徴とする請求項１に記載の光脱毛ユニット用光照射治具。
【請求項４】
上記先端部の厚さを上記本体部の厚さと同じ厚さとすることを特徴とする請求項１に記載の光脱毛ユニット用光照射治具。
【考案の詳細な説明】
【技術分野】
【０００１】
本考案は、光脱毛ユニット用光照射治具に関し、特に光脱毛ユニットからの照射光を常に適正な間隔を維持しながら安定に脱毛部位に照射できるようにするものである。
【背景技術】
【０００２】
光脱毛ユニットとして、ホワイトランプやキセノンランプから放射される波長５５０〜１０８０〔ｎｍ〕、６００〜９６０〔ｎｍ〕の照射光をクリスタル部を透過させて被施術者の皮膚上に塗布したジェルを介して脱毛部位に照射することにより、当該脱毛部位にある表皮ないし真皮を透過して毛穴内にある毛包に光エネルギーを到達させるようにしたものがある（特許文献１参照）。
【０００３】
この脱毛ユニットは、毛包内の黒い色素（メラニン色素など）において光−熱変化を生じさせ、これにより毛包内のタンパク質を凝固させることにより、毛包の発毛機能を熱的に破壊することを原理としている。
【特許文献１】特開２０００−３１６９９６公報
【考案の開示】
【考案が解決しようとする課題】
【０００４】
この種の光脱毛ユニットは、皮膚上の脱毛すべき部位に対して比較的広い範囲に光を照射することができることにより、施術者が被施術者に対してそれ程負担をかけずに脱毛施術を行うことができるが、実際の脱毛施術操作をする際に、光照射が済んだ部分と、次に光照射をすべき部分との境界を見定めながら、一回々々の光照射部分の間に隙間が生じたり、余分な重なりが生じたりしないように、適正な照射強度を維持しながら、移動操作をすることができるようにすることが望ましい。
【０００５】
本考案はかかる点を考慮してなされたもので、光脱毛ユニットからジェルを介して脱毛部位に光を簡易かつ適正に案内できるようにした光脱毛ユニット用光照射治具を提案しようとするものである。
【課題を解決するための手段】
【０００６】
かかる課題を解決するため本考案においては、光脱毛施術光を断面矩形形状のクリスタル部３Ａを通してジェル１６を塗った施術部位１５に照射する光脱毛ユニット１において、角筒状形状を有し、前板部５Ｆ及び後板部５Ｂ並びに左板部５Ｌ及び右板部５Ｒの本体部５ＦＹ及び５ＢＹ並びに５ＬＹ及び５ＲＹをクリスタル部３Ａに嵌め込むと共に、先端部５ＦＸ及び５ＢＸ並びに５ＬＸ及び５ＲＸをジェル１６に押し付けることにより、クリスタル部３Ａと施術部位１５との間に適正な間隔を保持する構成を有し、かつ前板部５Ｆ及び後板部５Ｂ並びに左板部５Ｌ及び右板部５Ｒのうち短辺側の板部の先端部に、前板部５Ｆ及び後板部５Ｂ並びに左板部５Ｌ及び右板部５Ｒの先端部で囲まれた空間の余分なジェル１６を押し出す切欠１０Ｌ及び１０Ｒを有する光照射治具５を用意する。
【考案の効果】
【０００７】
本考案によれば、角筒状形状の光照射治具の先端部によってクリスタル部と施術部位との間に適正な間隔を保持することで適正な照射強度を維持すると共に、ジェルを介して脱毛施術対象でなる皮膚に押し付けられたとき、余分なジェルを切欠から外部に押し出しかつはっきりとした押付け跡をジェル上に残すようにし、これにより１回ごとの光脱毛ユニットの位置決め操作を一段と容易にし得る。
【考案を実施するための最良の形態】
【０００８】
以下図面について、本考案の一実施の形態を詳述する。
【０００９】
図１（Ａ）において、１は全体として光脱毛ユニットを示し、ユニット本体２の先端部に光照射部３が形成され、脱毛施術時、施術者が手元側のグリップ部４を握って光照射部３の先端面３Ｘを脱毛施術をすべき部位に当てることにより、ユニット本体２の内部に設けられた光源（図示せず）から放出された脱毛施術光を光照射部３によって案内して、その先端面３Ｘから施術部位に照射するようになされている。
【００１０】
光照射部３は、図１（Ｂ）に示すように、脱毛施術光を放出するクリスタル部３Ａと、当該クリスタル部３Ａを保持するクリスタル保持部３Ｂとで構成され、クリスタル部３Ａに光照射治具５が取外し自在に嵌め込まれている。
【００１１】
クリスタル部３Ａは、図１（Ｃ）に示すように、断面が少し横長の矩形形状を有し、その周囲に角筒状の光照射治具５がクリスタル部３Ａとの間に隙間を生じさせないように嵌め込まれている。
【００１２】
この実施の形態の場合、光照射治具５は硬度が５０〜６０のシリコンによって構成され、これにより柔軟性を失わない適度な硬さをもちながら、クリスタル部３Ａにその先端方向から嵌め込まれる。
【００１３】
光照射治具５は、図２（Ｂ）に示すように、前及び後位置において互いに対向しながら横方向に横長に延長する前板部５Ｆ及び後板部５Ｂの左端及び右端を、前後方向に延長する左板部５Ｌ及び右板部５Ｒに連接し、これにより、断面が矩形枠状の角筒を形成している。
【００１４】
前板部５Ｆ及び後板部５Ｂ並びに左板部５Ｌ及び右板部５Ｒの先端部５ＦＸ及び５ＢＸ並びに５ＬＸ及び５ＲＸは、本体部５ＦＹ及び５ＢＹ並びに５ＬＹ及び５ＲＹの厚さ２．５〜３．０〔ｍｍ〕より厚みが薄くなる（厚さ１．０〜１．５〔ｍｍ〕程度）ように、外側が削り落とされており、これにより前板部５Ｆ及び後板部５Ｂ並びに左板部５Ｌ及び右板部５Ｒの先端部の外周面に段部が形成されている。
【００１５】
これに対して、前板部５Ｆ及び後板部５Ｂ並びに左板部５Ｌ及び右板部５Ｒの内面には段部が形成されておらず、これにより光照射治具５の内面はクリスタル部３Ａの外面に沿ってしかも隙間なく摺動しながら挿入動作することができるようになされている。
【００１６】
本体部５ＦＹ及び５ＢＹ並びに５ＬＹ及び５ＲＹの先端方向の長さは、クリスタル部３Ａの長さとほぼ同じ長さに選定され、これにより光照射治具５をクリスタル部３Ａに先端側から嵌め込んだとき、各段部の先端部５ＦＸ及び５ＢＸ並びに５ＬＸ及び５ＲＸがクリスタル部３Ａの先端から外方に突出するようになされている。
【００１７】
これにより、クリスタル部３Ａの外周面が全体として厚みが厚い本体部５ＦＹ及び５ＢＹ並びに５ＬＹ及び５ＲＹによって隙間なく囲まれることにより、クリスタル部３Ａを通る脱毛照射光の熱エネルギーが横方向に失われることがなく、しかもクリスタル部３Ａと本体部との間にジェルを入り込ませないようにクリスタル部３Ａを保護している。
【００１８】
先端部５ＦＸ及び５ＢＸ並びに５ＬＸ及び５ＲＸの突出長さは、光照射施術時に皮膚の施術部位に塗るジェルの標準厚みとほぼ同じ長さ（例えば３．５〔ｍｍ〕）に選定されている。
【００１９】
ここで、ジェルの標準厚みは、脱毛施術時クリスタル部３Ａを通って先端面３Ｘから投射される施術光が、適正な強度で脱毛施術部位の皮膚表面に到達でき、これにより皮膚に不快感を与えることなく、所定の脱毛効果を得ることができるような厚さに選定されている。
【００２０】
ジェルは、光導伝性が良いので、光脱毛ユニット１の光照射部３から照射された施術光をジェルにおいて熱変化を起こさないで効率良く施術部位に光を照射することができるようにする。
【００２１】
図２（Ａ）、（Ｃ）及び（Ｄ）に示すように、断面矩形形状の短辺部を構成する左板部５Ｌ及び右板部５Ｒの先端部５ＦＸ及び５ＢＸには、先端側から切り込まれるように横長な切欠１０Ｌ及び１０Ｒが形成され、これにより先端部５ＦＸ及び５ＢＸ並びに５ＬＸ及び５ＲＸによって取り囲まれた空間内に余分な量のジェルが入った状態になったとき、当該切欠１０から外部に逃がすようになされている。
【００２２】
かくして、脱毛施術時、施術者は光脱毛ユニット１の光照射治具５の先端部を大雑把に施術部位のジェル上に押しつけるだけで、常に、光照射治具５の先端部の厚さだけのジェルをクリスタル部３Ａと施術部位の皮膚との間に保持でき、これにより施術操作ごとに、クリスタル部３Ａを透過した施術光が適正な強度で施術部位の皮膚に照射される。
【００２３】
かくするにつき、切欠１０Ｌ及び１０Ｒを断面矩形形状のうち短辺部を形成する左板部５Ｌ及び右板部５Ｒに設けるようにしたことにより、光照射治具５の材料として、より柔らかい材質のものを適用できる。
【００２４】
以上の構成において、脱毛施術時、施術者は光照射すべき部位に予めジェルを塗る。
【００２５】
施術者は、光脱毛ユニット１のグリップ部４を握って、図３に示すように、光照射部３が脱毛施術部位の皮膚１５に対して垂直方向に向かうような向きになるように調整しながら、光照射治具５をジェル１６に押し付けるように当接させ、その後照射スイッチ６を操作することにより、脱毛施術光を皮膚１５に照射する。
【００２６】
このように光脱毛ユニット１を施術光照射状態に設定したとき、光照射治具５は、その先端部５ＦＸ及び５ＢＸ並びに５ＬＸ及び５ＲＸがジェル１６の厚みを通って皮膚１５の表面に当接した状態になる。
【００２７】
このとき、施術者が皮膚１５上に不足しないように十分な厚さでジェル１６を塗ることにより、クリスタル部３Ａと先端部５ＦＸ及び５ＢＸ並びに５ＬＸ及び５ＲＸとで囲まれた空間には多量のジェル１６が囲い込まれ、これにより、光照射部３のクリスタル部３Ａとジェル１６との間に空気を残さないようにしながら、余分なジェル１６を左板部５Ｌ及び右板部５Ｒの切欠１０Ｌ及び１０Ｒを通じて外部に押し出す。
【００２８】
かくしてクリスタル部３Ａの先端面とジェル１６との間に空気留りを残さないようにでき、しかも適正な厚みのジェル１６を透して当該空気留りによる熱変換を生じさせないようにでき、かくして効率の良い脱毛施術光の照射をすることができる。
【００２９】
かくして１回の施術光の照射操作時、図４において実線で示すように、光照射治具５の先端部５ＦＸ及び５ＢＸ並びに５ＬＸ及び５ＲＸがジェル１６に押し付けられることにより、ジェル１６上に、当該先端部の先端面によって矩形枠型の押付け跡２１を付けると共に、当該押付け跡２１によって囲まれた部分に脱毛施術光の照射がなされる。
【００３０】
この押付け跡２１は、当該１回の施術光の照射が終了して施術者が光脱毛ユニット１を皮膚１５から引き離した状態になってもそのまま残っている。
【００３１】
そこで施術者は、続いて次回の脱毛施術光の照射を行うために、図４に破線で示すように、光照射治具５の押付け跡２２が、前回の押付け跡２１との間に隙間が生じず、かつ境目が重なり合わないように、押付け位置を選定して、光脱毛ユニット１を位置決め移動する。
【００３２】
かくして施術者は、光脱毛ユニット１の脱毛施術光の照射操作を繰り返すことにより、押付け跡２２で囲まれた適正な厚みのジェル１６を介して皮膚１５に対して次回の脱毛施術光の照射を行う。
【００３３】
かくするにつき、光照射治具５の先端部５ＦＸ及び５ＢＸ並びに５ＬＸ及び５ＲＸが、本体部５ＦＹ及び５ＢＹ並びに５ＬＹ及び５ＲＹの厚さより薄い厚さに外側を削り取るように構成されていることにより、押付け跡２１及び２２がジェル１６上に鮮明に残ることにより、繰り返し行う光脱毛ユニット１の位置決め操作を一段と容易かつ正確に行うことができる。
【００３４】
因みに、光照射治具５の本体部５ＦＹ及び５ＢＹ並びに５ＬＹ及び５ＲＹの厚さは、クリスタル部３Ａを通る脱毛施術光の熱エネルギーが無駄に外部に漏れないようにするためできるだけ厚くすることが必要であるのに対して、前板部５Ｆ及び後板部５Ｂ並びに左板部５Ｌ及び右板部５Ｒとして先端部まで厚い厚みをもたせると、施術光の照射時にジェル１６上に付けられる押付け跡２１及び２２が太くなるために、新たに施術光の照射をする場所へ移動させて位置決めすることが難しくなる。
【００３５】
この点について上述の実施の形態の場合は、先端部５ＦＸ及び５ＢＸ並びに５ＬＸ及び５ＲＸの厚さを外側を削り落とすように薄くしたことにより、押付け跡２１及び２２は細くなることにより位置合わせが一段と容易になる。
【００３６】
以上の構成によれば、施術光の照射操作時における施術部位の皮膚１５に対する光脱毛ユニット１の位置決めを簡易に行うことができ、かくするにつきクリスタル部３Ａと皮膚１５との間の距離を光照射治具５の先端部の長さ分だけ常に適正に保持できると共に、光照射治具５の先端にジェル１６を逃がすための切欠１０Ｌ及び１０Ｒを設けたことにより、クリスタル部３Ａとジェル１６との間に空気留りを残さないようにしながら、しかも適量のジェルを残すように、施術者が光脱毛ユニット１の押し付け動作をすることができる。
【００３７】
また、１回の脱毛施術光の照射をした部位の痕跡をはっきりと残すことにより、次回の照射位置への光脱毛ユニット２の位置決めを容易になし得る。
【００３８】
なお上述の実施の形態においては、角筒状の光照射治具５として、前板部５Ｆ及び後板部５Ｂが互いに平行であり、かつ左板部５Ｌ及び右板部５Ｒも互いに平行である場合について述べたが、ユニット本体２のクリスタル保持部３Ｂ及びクリスタル部３Ａが先端方向に行くに従って先細りになる形状をもつような場合には、これに合わせるように前板部５Ｆ及び後板部５Ｂ並びに左板部５Ｌ及び右板部５Ｒを互いに少し傾斜させるように変更しても、上述の場合と同様の効果を得ることができる。
【００３９】
また、図２の実施の形態においては、前板部５Ｆ及び後板部５Ｂ並びに左板部５Ｌ及び右板部５Ｒとして、先端部５ＦＸ及び５ＢＸ並びに５ＬＸ及び５ＲＸを本体部５ＦＹ及び５ＢＹ並びに５ＬＹ及び５ＲＸＹより薄くするようにした場合について述べたが、図５に示すように、当該本体部及び先端部の厚みを同じ厚みにすることもできる。
【００４０】
この場合、前板部５Ｆ及び後板部５Ｂ並びに左板部５Ｌ及び右板部５Ｒの厚さは、本体部５ＦＹ及び５ＢＹ並びに５ＬＹ及び５ＲＹを通して脱毛照射光のエネルギーの漏れを防止すると共にクリスタル部３Ａに対する挿着に必要な柔軟性を考慮しながら、できるだけ薄くすることが望ましい。
【００４１】
このようにしても、クリスタル部３Ａと皮膚１５との間の距離を光照射治具５の先端部の長さ分だけ常に適正に保持できると共に、前板部５Ｆ及び後板部５Ｂ並びに左板部５Ｌ及び右板部５Ｒにジェル１６を逃がすための切欠１０Ｌ及び１０Ｒが設けられていることにより、クリスタル部３Ａとジェルとの間に空間を生じさせないようにできることにより施術光の照射時における効率の向上を実現できる。
【産業上の利用可能性】
【００４２】
本考案は、業務用又は家庭用光脱毛ユニットに利用できる。
【図面の簡単な説明】
【００４３】
【図１】（Ａ）は光脱毛ユニットの全体構成を示す側面図、（Ｂ）はその光照射治具の取付構造の一部を断面として示す側面図、（Ｃ）は光照射部の先端構造を示す正面図である。
【図２】（Ａ）、（Ｂ）、（Ｃ）及び（Ｄ）は光照射治具の左側面構造、正面構造、右側面構造及び底面構造を示す左側面図、正面図、右側面図及び底面図である。
【図３】光脱毛ユニットの脱毛施術光の照射操作の説明に供する略線的側面図である。
【図４】光脱毛ユニットの位置決め操作の説明に供する略線図である。
【図５】（Ａ）、（Ｂ）、（Ｃ）及び（Ｄ）は他の実施の形態の光照射治具の左側面構造、正面構造、右側面構造及び底面構造を示す左側面図、正面図、右側面図及び底面図である。
【符号の説明】
【００４４】
Ｉ……光脱毛ユニット、２……ユニット本体、３……光照射部、４……グリップ部、５……光照射治具、６……スイッチ、３Ａ……クリスタル部、３Ｂ……クリスタル保持部、５Ｆ……前板部、５Ｂ……後板部、５Ｌ……左板部、５Ｒ……右板部、５ＦＸ〜５ＲＸ……先端部、５ＦＹ〜５ＲＹ……本体部、１０Ｌ、１０Ｒ……切欠、２１、２２……押付け跡。
【図１】
0003123817.tif 000003
【図２】
0003123817.tif 000004
【図３】
0003123817.tif 000005
【図４】
0003123817.tif 000006
【図５】
0003123817.tif 000007